【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
ＩＰ電話装置の呼接続を制御する呼接続制御装置であって、
ＥＮＵＭサーバに格納されたＩＰ電話装置に関する情報であるＮＡＰＴＲレコードの削除要求を前記ＩＰ電話装置から受信する受信手段と、
前記受信手段により受信した削除要求に含まれる電話番号に基づいて該電話番号のＩＰ電話装置のＮＡＰＴＲレコードの削除処理をＥＮＵＭサーバに対し要求する削除処理手段と、
を具備することを特徴とする呼接続制御装置。
【請求項２】
前記受信手段は、前記ＩＰ電話装置から定期的に送信される前記ＩＰ電話装置の端末の登録要求を受信し、
前記削除処理手段は、前記受信手段による登録要求の受信が停止した場合に、停止前に受信した登録要求に含まれる電話番号に基づいて該電話番号のＩＰ電話装置のＮＡＰＴＲレコードの削除処理をＥＮＵＭサーバに対し要求することを特徴とする請求項１記載の呼接続制御装置。
【請求項３】
前記削除処理手段によりＮＡＰＴＲレコードを削除したＩＰ電話装置の情報を、通知先として指定された他のＩＰ電話装置に送信する送信手段を具備することを特徴とする請求項１又は２記載の呼接続制御装置。
【請求項４】
ＩＰ電話装置の呼接続を制御する呼接続制御装置から、ＩＰ電話装置のＮＡＰＴＲレコードの削除要求を受信する受信手段と、
前記受信手段により削除要求を受信したとき前記ＩＰ電話装置のＮＡＰＴＲレコードを記憶手段から削除する削除手段と、を具備することを特徴とするＥＮＵＭサーバ。
【請求項５】
ＩＰ電話装置の呼接続を制御する呼接続制御装置とＩＰネットワークを介して接続されるＩＰ電話装置であって、
ＥＮＵＭサーバに格納されたＩＰ電話装置に関する情報であるＮＡＰＴＲレコードの削除をユーザが指示する指示手段と、
前記指示手段からの指示に応じて、ＮＡＰＴＲレコードの削除要求を前記呼接続制御装置に送信する送信手段と、
を具備することを特徴とするＩＰ電話装置。
【請求項６】
前記送信手段は、自装置の端末の登録要求を定期的に前記呼接続制御装置に送信し、前記指示手段からの指示に応じて、前記登録要求の送信を停止することを特徴とする請求項５記載のＩＰ電話装置。
【請求項７】
他のＩＰ電話装置のＮＡＰＴＲレコードの登録問い合わせをＥＮＵＭサーバに送信する問合せ手段と、
前記問合せ手段による登録問い合わせに応じて前記ＥＮＵＭサーバから送信される他のＩＰ電話装置のＮＡＰＴＲレコードが削除されたことを示す削除応答を受信する受信手段と、
前記受信手段により削除応答を受信したとき他のＩＰ電話装置のＮＡＰＴＲレコードが削除されていることを示す表示手段と、
を具備することを特徴とする請求項５記載のＩＰ電話装置。
【請求項８】
ＩＰネットワークに接続されたＩＰ電話装置と、ＩＰ電話装置の呼接続を制御する呼接続制御装置と、ＩＰ電話装置に関する情報をＮＡＰＴＲレコードとして格納しＩＰ電話装置からの問合せに応じて前記ＮＡＰＴＲレコードを返送するＥＮＵＭサーバとを具備するＩＰ電話システムであって、
前記ＩＰ電話装置は、
自装置のＮＡＰＴＲレコードの削除をユーザが指示する指示手段と、
前記指示手段からの指示に応じて、ＮＡＰＴＲレコードの削除要求を前記呼接続制御装置に送信する送信手段と、を具備し、
前記呼接続制御装置は、
前記ＩＰ電話装置から送信されるＮＡＰＴＲレコードの削除要求を受信する受信手段と、
前記受信手段により受信した削除要求に含まれる電話番号に基づいて該電話番号のＩＰ電話装置のＮＡＰＴＲレコードの削除処理をＥＮＵＭサーバに対し要求する削除処理手段と、を具備し、
前記ＥＮＵＭサーバは、
前記呼接続制御装置から削除処理を要求されたＮＡＰＴＲレコードを記憶手段から削除する削除手段を具備することを特徴とするＩＰ電話システム。
【請求項９】
前記呼接続制御装置は、前記ＩＰ電話装置のＮＡＰＴＲレコードが削除されたことを通知先として登録されている他のＩＰ電話装置に通知する通知手段を具備することを特徴とする請求項８記載のＩＰ電話システム。
【手続補正２】
【補正対象書類名】明細書
【補正対象項目名】０００８
【補正方法】変更
【補正の内容】
【０００８】
本発明は、ＩＰ電話装置の呼接続を制御する呼接続制御装置であって、ＥＮＵＭサーバに格納されたＩＰ電話装置に関する情報であるＮＡＰＴＲレコードの削除要求を前記ＩＰ電話装置から受信する受信手段と、前記受信手段により受信した削除要求に含まれる電話番号に基づいて該電話番号のＩＰ電話装置のＮＡＰＴＲレコードの削除処理をＥＮＵＭサーバに対し要求する削除処理手段と、を具備するようにしたものである。
【手続補正３】
【補正対象書類名】明細書
【補正対象項目名】００１０
【補正方法】変更
【補正の内容】
【００１０】
本発明の第１の態様に係る呼接続制御装置は、ＩＰ電話装置の呼接続を制御する呼接続制御装置であって、ＥＮＵＭサーバに格納されたＩＰ電話装置に関する情報であるＮＡＰＴＲレコードの削除要求を前記ＩＰ電話装置から受信する受信手段と、前記受信手段により受信した削除要求に含まれる電話番号に基づいて該電話番号のＩＰ電話装置のＮＡＰＴＲレコードの削除処理をＥＮＵＭサーバに対し要求する削除処理手段と、を具備する構成を採る。
【手続補正４】
【補正対象書類名】明細書
【補正対象項目名】００１２
【補正方法】変更
【補正の内容】
【００１２】
本発明の第２の態様は、第１の態様における呼接続制御装置において、前記受信手段は、前記ＩＰ電話装置から定期的に送信される前記ＩＰ電話装置の端末の登録要求を受信し、  前記削除処理手段は、前記受信手段による登録要求の受信が停止した場合に、停止前に受信した登録要求に含まれる電話番号に基づいて該電話番号のＩＰ電話装置のＮＡＰＴＲレコードの削除処理をＥＮＵＭサーバに対し要求する構成を採る。
【手続補正５】
【補正対象書類名】明細書
【補正対象項目名】００１６
【補正方法】変更
【補正の内容】
【００１６】
本発明の第４の態様に係るＥＮＵＭサーバは、ＩＰ電話装置の呼接続を制御する呼接続制御装置から、ＩＰ電話装置のＮＡＰＴＲレコードの削除要求を受信する受信手段と、前記受信手段により削除要求を受信したとき前記ＩＰ電話装置のＮＡＰＴＲレコードを記憶手段から削除する削除手段と、を具備する構成を採る。
【手続補正６】
【補正対象書類名】明細書
【補正対象項目名】００１８
【補正方法】変更
【補正の内容】
【００１８】
本発明の第５の態様に係るＩＰ電話装置は、ＩＰ電話装置の呼接続を制御する呼接続制御装置とＩＰネットワークを介して接続されるＩＰ電話装置であって、ＥＮＵＭサーバに格納されたＩＰ電話装置に関する情報であるＮＡＰＴＲレコードの削除をユーザが指示する指示手段と、前記指示手段からの指示に応じて、ＮＡＰＴＲレコードの削除要求を前記呼接続制御装置に送信する送信手段と、を具備する構成を採る。
【手続補正７】
【補正対象書類名】明細書
【補正対象項目名】００２２
【補正方法】変更
【補正の内容】
【００２２】
本発明の第７の態様は、第５の態様におけるＩＰ電話装置において、他のＩＰ電話装置のＮＡＰＴＲレコードの登録問い合わせをＥＮＵＭサーバに送信する問合せ手段と、前記問合せ手段による登録問い合わせに応じて前記ＥＮＵＭサーバから送信される他のＩＰ電話装置のＮＡＰＴＲレコードが削除されたことを示す削除応答を受信する受信手段と、前記受信手段により削除応答を受信したとき他のＩＰ電話装置のＮＡＰＴＲレコードが削除されていることを示す表示手段と、を具備する構成を採る。
【手続補正８】
【補正対象書類名】明細書
【補正対象項目名】００２４
【補正方法】変更
【補正の内容】
【００２４】
本発明の第８の態様に係るＩＰ電話システムは、ＩＰネットワークに接続されたＩＰ電話装置と、ＩＰ電話装置の呼接続を制御する呼接続制御装置と、ＩＰ電話装置に関する情報をＮＡＰＴＲレコードとして格納しＩＰ電話装置からの問合せに応じて前記ＮＡＰＴＲレコードを返送するＥＮＵＭサーバとを具備するＩＰ電話システムであって、前記ＩＰ電話装置は、自装置のＮＡＰＴＲレコードの削除をユーザが指示する指示手段と、前記指示手段からの指示に応じて、ＮＡＰＴＲレコードの削除要求を前記呼接続制御装置に送信する送信手段と、を具備し、前記呼接続制御装置は、前記ＩＰ電話装置から送信されるＮＡＰＴＲレコードの削除要求を受信する受信手段と、前記受信手段により受信した削除要求に含まれる電話番号に基づいて該電話番号のＩＰ電話装置のＮＡＰＴＲレコードの削除処理をＥＮＵＭサーバに対し要求する削除処理手段と、を具備し、前記ＥＮＵＭサーバは、前記呼接続制御装置から削除処理を要求されたＮＡＰＴＲレコードを記憶手段から削除する削除手段を具備する構成を採る。
【手続補正９】
【補正対象書類名】明細書
【補正対象項目名】００２６
【補正方法】変更
【補正の内容】
【００２６】
本発明の第９の態様は、第８の態様におけるＩＰ電話システムにおいて、前記呼接続制御装置は、前記ＩＰ電話装置のＮＡＰＴＲレコードが削除されたことを通知先として登録されている他のＩＰ電話装置に通知する通知手段を具備する構成を採る。